(57)【要約】【課題】ハンドオーバが行われた場合であっても、ＭＤＴログを確実に報告する。【解決手段】本発明に係る移動通信方法は、待ち受け状態の移動局ＵＥが、所定情報を含むＭＤＴログを生成して記憶する工程Ａと、移動局ＵＥが、無線基地局ｅＮＢ＃１配下のセル＃１において、アクティブ状態に遷移した後に、無線基地局ｅＮＢ＃１に対して、記憶しているＭＤＴログを送信する工程Ｂと、移動局ＵＥが、ＭＤＴログの送信が完了する前に、セル＃１から無線基地局ｅＮＢ＃２配下のセル＃２にハンドオーバした場合、無線基地局ｅＮＢ＃２に対して、ＭＤＴログを再送する工程Ｃとを有する。【選択図】図３
2012044324.tif 000002
【特許請求の範囲】
【請求項１】
待ち受け状態の移動局が、所定情報を含むログ情報を生成して記憶する工程Ａと、
前記移動局が、第１無線基地局配下の第１セルにおいて、アクティブ状態に遷移した後に、該第１無線基地局に対して、記憶している前記ログ情報を送信する工程Ｂと、
前記移動局が、前記ログ情報の送信が完了する前に、前記第１セルから第２無線基地局配下の第２セルにハンドオーバした場合、該第２無線基地局に対して、該ログ情報を再送する工程Ｃとを有することを特徴とする移動通信方法。
【請求項２】
前記移動局は、前記工程Ｂにおいて、１つのＲＲＣメッセージによって前記ログ情報を送信した場合、前記工程Ｃにおいて、該ＲＲＣメッセージを再送することを特徴とする請求項１に記載の移動通信方法。
【請求項３】
前記移動局は、前記工程Ｂにおいて、複数のＲＲＣメッセージによって前記ログ情報を送信した場合、前記工程Ｃにおいて、該複数のＲＲＣメッセージのうち、ＲＲＣレイヤの下位レイヤにおいて送達確認が取れていないＲＲＣメッセージのみを再送することを特徴とする請求項１に記載の移動通信方法。
【請求項４】
移動局であって、
前記移動局が、待ち受け状態である場合に、所定情報を含むログ情報を生成して記憶するように構成されている管理部と、
前記移動局が、第１無線基地局配下の第１セルにおいて、アクティブ状態に遷移した後に、該第１無線基地局に対して、記憶している前記ログ情報を送信するように構成されている送信部とを具備し、
前記移動局が、前記ログ情報の送信が完了する前に、前記第１セルから第２無線基地局配下の第２セルにハンドオーバした場合、前記送信部は、該第２無線基地局に対して、該ログ情報を再送するように構成されていることを特徴とする移動局。
【請求項５】
前記送信部は、１つのＲＲＣメッセージによって前記ログ情報を送信するように構成されており、
前記移動局が、前記ログ情報の送信が完了する前に、前記第１セルから前記第２セルにハンドオーバした場合には、前記送信部は、前記１つのＲＲＣメッセージを再送するように構成されていることを特徴とする請求項４に記載の移動局。
【請求項６】
前記送信部は、複数のＲＲＣメッセージによって前記ログ情報を送信するように構成されており、
前記移動局が、前記ログ情報の送信が完了する前に、前記第１セルから前記第２セルにハンドオーバした場合には、前記送信部は、前記複数のＲＲＣメッセージのうち、ＲＲＣレイヤの下位レイヤにおいて送達確認が取れていないＲＲＣメッセージのみを再送するように構成されていることを特徴とする請求項４に記載の移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）方式では、「ＭＤＴ（Ｍｉｎｉｍｉｓａｔｉｏｎ  ｏｆ  Ｄｒｉｖｅ  Ｔｅｓｔｓ）」が規定されている。
【０００３】
かかるＭＤＴのうち、「Ｌｏｇｇｅｄ  ＭＤＴ」では、第１に、移動局ＵＥは、待ち受け状態である場合に、「ＭＤＴ  Ｍｅａｓｕｒｅｍｅｎｔ  Ｃｏｎｆｉｇｕｒａｔｉｏｎ」によって指定されているＭＤＴ測定処理を行い、かかる測定結果を含むＭＤＴログを生成して記憶する。
【０００４】
第２に、移動局ＵＥは、所定セルにおいて、アクティブ状態に遷移する際に、かかる所定セルを管理する無線基地局ｅＮＢに対して、ＭＤＴログを記憶していることを示すＬｏｇ有通知を送信する。
【０００５】
第３に、移動局ＵＥは、かかる無線基地局ｅＮＢから、Ｌｏｇ報告要求を受信した場合に、かかる無線基地局ｅＮＢに対して、記憶しているＭＤＴログを報告する。
【先行技術文献】
【非特許文献】
【０００６】
【非特許文献１】３ＧＰＰ  ＴＲ３６.８０５
【非特許文献２】３ＧＰＰ  ＴＳ３７.３２０
【発明の概要】
【発明が解決しようとする課題】
【０００７】
しかしながら、従来の「Ｌｏｇｇｅｄ  ＭＤＴ」では、移動局ＵＥが、他の通信を行っている場合には、ＭＤＴログの報告の優先度を下げてしまう可能性があるため、かかるＭＤＴログの送信が完了する前に、移動局ＵＥの他のセルへのハンドオーバが行われてしまい、かかるＭＤＴログを報告することができなくなってしまう可能性があるという問題点があった。
【０００８】
そこで、本発明は、上述の課題に鑑みてなされたものであり、ハンドオーバが行われた場合であっても、ＭＤＴログを確実に報告することができる移動通信方法及び移動局を提供することを目的とする。
【課題を解決するための手段】
【０００９】
本発明の第１の特徴は、移動通信方法であって、待ち受け状態の移動局が、所定周期で、所定情報を含むログ情報を生成して記憶する工程Ａと、前記移動局が、第１無線基地局配下の第１セルにおいて、アクティブ状態に遷移した後に、該第１無線基地局に対して、記憶している前記ログ情報を送信する工程Ｂと、前記移動局が、前記ログ情報の送信が完了する前に、前記第１セルから第２無線基地局配下の第２セルにハンドオーバした場合、該第２無線基地局に対して、該ログ情報を再送する工程Ｃとを有することを要旨とする。
【００１０】
本発明の第２の特徴は、移動局であって、前記移動局が、待ち受け状態である場合に、所定周期で、所定情報を含むログ情報を生成して記憶するように構成されている管理部と、前記移動局が、第１無線基地局配下の第１セルにおいて、アクティブ状態に遷移した後に、該第１無線基地局に対して、記憶している前記ログ情報を送信するように構成されている送信部とを具備し、前記移動局が、前記ログ情報の送信が完了する前に、前記第１セルから第２無線基地局配下の第２セルにハンドオーバした場合、前記送信部は、該第２無線基地局に対して、該ログ情報を再送するように構成されていることを要旨とする。
【発明の効果】
【００１１】
以上説明したように、本発明によれば、ハンドオーバが行われた場合であっても、ＭＤＴログを確実に報告することができる移動通信方法及び移動局を提供することができる。
【図面の簡単な説明】
【００１２】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムの動作を説明するための図である。
【発明を実施するための形態】
【００１３】
（本発明の第１の実施形態に係る移動通信システム）
図１乃至図３を参照して、本発明の第１の実施形態に係る移動通信システムについて説明する。
【００１４】
図１に示すように、本実施形態に係る移動通信システムは、ＬＴＥ方式の移動通信システムであって、セル＃１を管理する無線基地局ｅＮＢ＃１と、セル＃２を管理する無線基地局ｅＮＢ＃２とを具備している。
【００１５】
本実施形態に係る移動局ＵＥは、「Ｌｏｇｇｅｄ  ＭＤＴ」に対応可能であり、 図２に示すように、取得部１１と、ＭＤＴログ管理部１２と、送信部１３と、ハンドオーバ処理部１４とを具備している。
【００１６】
取得部１１は、ＭＤＴログを生成するために必要な所定情報を取得するように構成されている。
【００１７】
例えば、取得部１１は、所定情報として、所定セルにおける無線品質である「ＲＳＲＰ（Ｒｅｆｅｒｅｎｃｅ  Ｓｉｇｎａｌ  Ｒｅｃｅｉｖｅｄ  Ｐｏｗｅｒ）」や「ＲＳＲＰ（Ｒｅｆｅｒｅｎｃｅ  Ｓｉｇｎａｌ  Ｒｅｃｅｉｖｅｄ  Ｑｕａｌｉｔｙ）」や、「Ｔｉｍｅ  Ｓｔａｍｐ」や、「Ｌｏｃａｔｉｏｎ  Ｉｎｆｏｒｍａｔｉｏｎ」等を取得するように構成されている。
【００１８】
ここで、取得部１１は、所定セルにおける無線品質として、無線基地局ｅＮＢによって送信された「ＭＤＴ  Ｃｏｎｆｉｇｕｒａｔｉｏｎ」によって指定されたセル（周波数）における無線品質を取得するように構成されていてもよい。
【００１９】
なお、取得部１１は、異なるタイミングで、「Ｌｏｃａｔｉｏｎ  Ｉｎｆｏｒｍａｔｉｏｎ」及び所定セルにおける無線品質を取得するように構成されていてもよい。
【００２０】
ＭＤＴログ管理部１２は、移動局ＵＥが待ち受け状態（ＲＲＣ_Ｉｄｌｅ状態）である場合に、「Ｌｏｇｇｅｄ  ＭＤＴ  ｍｅａｓｕｒｅｍｅｎｔ  ｐｅｒｉｏｄ」で規定されている周期で、取得部１２によって取得された所定情報を含むＭＤＴログを生成して記憶するように構成されている。
【００２１】
送信部１３は、移動局ＵＥがアクティブ状態（ＲＲＣ_Ｃｏｎｎｅｃｔｅｄ状態）に遷移した後に、無線基地局ｅＮＢに対して、ＭＤＴログ管理部１２において記憶しているＭＤＴログを送信するように構成されている。
【００２２】
ここで、送信部１３は、１つのＲＲＣ（Ｒａｄｉｏ  Ｒｅｓｏｕｒｃｅ  Ｃｏｎｔｒｏｌ）メッセージによって、かかるＭＤＴログを送信するように構成されていてもよいし、複数のＲＲＣメッセージによって、かかるＭＤＴログを送信するように構成されていてもよい。
【００２３】
ハンドオーバ処理部１４は、移動局ＵＥのハンドオーバを実行するように構成されている。
【００２４】
ここで、移動局ＵＥが、ＭＤＴログの送信が完了する前に、ハンドオーバ処理部１４によって移動局ＵＥのハンドオーバが実行された場合、送信部１４は、ハンドオーバ先セルを管理する無線基地局ｅＮＢに対して、ハンドオーバ元セルを管理する無線基地局ｅＮＢに対して送信したＭＤＴログを再送するように構成されている。
【００２５】
なお、送信部１３は、ハンドオーバ元セルを管理する無線基地局ｅＮＢに対して、１つのＲＲＣメッセージによって、ＭＤＴログを送信している場合には、ハンドオーバ先セルを管理する無線基地局ｅＮＢに対して、かかる１つのＲＲＣメッセージを再送するように構成されている。
【００２６】
一方、送信部１３は、ハンドオーバ元セルを管理する無線基地局ｅＮＢに対して、複数のＲＲＣメッセージによって、ＭＤＴログを送信している場合には、ハンドオーバ先セルを管理する無線基地局ｅＮＢに対して、全てのＲＲＣメッセージを再送するように構成されていてもよいし、複数のＲＲＣメッセージのうち、ＲＲＣレイヤの下位レイヤ（例えば、物理レイヤやＭＡＣ（Ｍｅｄｉａ  Ａｃｃｅｓｓ  Ｃｏｎｔｒｏｌ）レイヤ等）において送達確認が取れていないＲＲＣメッセージのみを再送するように構成されている。
【００２７】
以下、図３を参照して、本発明の第１の実施形態に係る移動通信システムの動作の一例について説明する。
【００２８】
図３に示すように、ステップＳ１０１において、移動局ＵＥは、セル＃１において待ち受け状態からアクティブ状態に遷移すると、セル＃１を管理する無線基地局ｅＮＢ＃１に対して、ＭＤＴログを記憶していることを示すＬｏｇ有通知を送信する。
【００２９】
無線基地局ｅＮＢ＃１は、移動局ＵＥに対して、ステップＳ１０２において、Ｌｏｇ報告要求を送信した後、ステップＳ１０３において、セル＃１からセル＃２へのハンドオーバを指示する「Ｈａｎｄｏｖｅｒ  Ｃｏｍｍａｎｄ」を送信する。
【００３０】
ステップＳ１０４において、移動局ＵＥは、セル＃１からセル＃２へのハンドオーバに係る処理を行うため、無線基地局ｅＮＢ＃１へのＭＤＴログの報告に失敗する。
【００３１】
ステップＳ１０５において、移動局ＵＥは、ハンドオーバ先のセル＃２を管理する無線基地局ｅＮＢ＃２に対して、ステップＳ１０４において報告に失敗したＭＤＴログを再送する。
【００３２】
本発明の第１の実施形態に係る移動通信システムによれば、移動局ＵＥが、セル＃１を管理する無線基地局ｅＮＢ＃１に対するＭＤＴログの報告を完了する前に、セル＃１からセル＃２にハンドオーバした場合であっても、セル＃２を管理する無線基地局ｅＮＢ＃２に対してＭＤＴログを確実に報告することができる。
【００３３】
以上に述べた本実施形態の特徴は、以下のように表現されていてもよい。
【００３４】
本実施形態の第１の特徴は、移動通信方法であって、待ち受け状態の移動局ＵＥが、所定情報を含むＭＤＴログ（ログ情報）を生成して記憶する工程Ａと、移動局ＵＥが、無線基地局ｅＮＢ＃１（第１無線基地局）配下のセル＃１（第１セル）において、アクティブ状態に遷移した後に、無線基地局ｅＮＢ＃１に対して、記憶しているＭＤＴログを送信する工程Ｂと、移動局ＵＥが、ＭＤＴログの送信が完了する前に、セル＃１から無線基地局ｅＮＢ＃２（第２無線基地局）配下のセル＃２（第２セル）にハンドオーバした場合、無線基地局ｅＮＢ＃２に対して、ＭＤＴログを再送する工程Ｃとを有することを要旨とする。
【００３５】
本実施形態の第１の特徴において、移動局ＵＥは、工程Ｂにおいて、１つのＲＲＣメッセージによってＭＤＴログを送信した場合、工程Ｃにおいて、かかる１つのＲＲＣメッセージを再送してもよい。
【００３６】
本実施形態の第１の特徴において、移動局ＵＥは、工程Ｂにおいて、複数のＲＲＣメッセージによってＭＤＴログを送信した場合、工程Ｃにおいて、複数のＲＲＣメッセージのうち、ＲＲＣレイヤの下位レイヤにおいて送達確認が取れていないＲＲＣメッセージのみを再送してもよい。
【００３７】
本実施形態の第２の特徴は、移動局ＵＥであって、移動局ＵＥが、待ち受け状態である場合に、所定情報を含むＭＤＴログを生成して記憶するように構成されているＭＤＴログ管理部１３と、移動局ＵＥが、セル＃１において、アクティブ状態に遷移した後に、無線基地局ｅＮＢ＃１に対して、記憶しているＭＤＴログを送信するように構成されている送信部１４とを具備し、移動局ＵＥが、ＭＤＴログの送信が完了する前に、セル＃１からセル＃２にハンドオーバした場合、送信部１４は、無線基地局ｅＮＢ＃２に対して、かかるＭＤＴログを再送するように構成されていることを要旨とする。
【００３８】
本実施形態の第２の特徴において、送信部１４は、１つのＲＲＣメッセージによってＭＤＴログを送信するように構成されており、移動局ＵＥが、ＭＤＴログの送信が完了する前に、セル＃１からセル＃２にハンドオーバした場合には、送信部１４は、かかる１つのＲＲＣメッセージを再送するように構成されていてもよい。
【００３９】
本実施形態の第２の特徴において、送信部１４は、複数のＲＲＣメッセージによってＭＤＴログを送信するように構成されており、移動局ＵＥが、ＭＤＴログの送信が完了する前に、セル＃１からセル＃２にハンドオーバした場合には、送信部１４は、複数のＲＲＣメッセージのうち、ＲＲＣレイヤの下位レイヤにおいて送達確認が取れていないＲＲＣメッセージのみを再送するように構成されていてもよい。
【００４０】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００４１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００４３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４４】
ＵＥ…移動局
ｅＮＢ…無線基地局
１１…取得部
１２…ＭＤＴログ管理部
１３…送信部
１４…ハンドオーバ処理部
【図１】
2012044324.tif 000003
【図２】
2012044324.tif 000004
【図３】
2012044324.tif 000005